(57)【要約】【課題】メッセージングサービスを利用して複数の送信依頼者を１アカウントで扱うメッセージ送受信代行装置及びメッセージ送受信代行プログラムであって、受信されたメッセージを正しい送信依頼者に送るものを提供すること。また、メッセージングサービスを利用して複数の送信依頼者を１アカウントで扱うメッセージ処理装置及びメッセージ処理システムであって、受信されたメッセージの内容に基づいて送信依頼者毎のデータを処理するものを提供すること。【解決手段】メッセージ送受信代行装置（プログラム）１は、受信者特定部（処理）１６によって、受信されたメッセージの受信者を特定する。メッセージを送信する時に該メッセージを送信する前記送信依頼者と送信先との対応を記録した履歴データ１４を特定のために活用することができる。【選択図】図１
2019169008.tif 000002
【特許請求の範囲】
【請求項１】
外部のメッセージングサービスと通信する通信部と、
メッセージングサービスと通信してメッセージングサービス利用者にメッセージを送信する送信部と、
メッセージングサービスと通信してメッセージングサービス利用者からのメッセージを受信する受信部と、
複数の送信依頼者からメッセージングサービス利用者へのメッセージ送信の依頼を受け付ける送信依頼受付部と、
メッセージングサービスからのメッセージを受信した時に前記複数の送信依頼者から該メッセージの受信者を特定する受信者特定部と、
前記受信者特定部によって特定された送信依頼者に受信したメッセージを伝達する受信対応部とを備え、
メッセージを送信する時に該メッセージを送信する前記送信依頼者と送信先との対応を履歴データとして保持し、
前記受信者特定部は、前記履歴データに基づいて受信者を特定することを特徴とする、メッセージ送受信代行装置。
【請求項２】
前記受信者特定部は、前記履歴データに受信したメッセージの送信者を送信先とするメッセージの前記送信依頼者が複数存在する場合に、最後に送信を依頼した前記送信依頼者が送信を依頼した時刻から受信メッセージを受信した時刻までの時間が所定の時間以下である場合に、該送信依頼者を受信者として特定することを特徴とする、請求項１に記載のメッセージ送受信代行装置。
【請求項３】
前記受信者特定部は、受信したメッセージが送信したメッセージへの返信である場合に、該送信したメッセージの送信依頼者を受信者として特定することを特徴とする、請求項１又は２に記載のメッセージ送受信代行装置。
【請求項４】
請求項１〜３のいずれか１項に記載のメッセージ送受信代行装置と、
前記送信依頼者の各々に対応する業務データと、
受信したメッセージを分析し、該分析結果に基づいて前記業務データを更新するボット部とを備え、
前記ボット部は、前記受信者特定部によって特定された送信依頼者に対応する前記業務データを更新することを特徴とする、メッセージ処理装置。
【請求項５】
外部のメッセージングサービスと通信する通信処理と、
メッセージングサービスと通信してメッセージングサービス利用者にメッセージを送信する送信処理と、
メッセージングサービスと通信してメッセージングサービス利用者からのメッセージを受信する受信処理と、
複数の送信依頼者からメッセージングサービス利用者へのメッセージ送信の依頼を受け付ける送信依頼受付処理と、
メッセージを受信した時に前記複数の送信依頼者から該メッセージの受信者を特定する受信者特定処理と、
前記受信者特定部によって特定された送信依頼者に受信したメッセージを伝達する受信対応処理とを備え、
メッセージを送信する時に該メッセージを送信する前記送信依頼者と送信先との対応を履歴データとして保持し、
前記受信者特定処理は、前記履歴データに基づいて受信者を特定することを特徴とする、メッセージ送受信代行プログラム。
【請求項６】
前記受信者特定処理は、前記履歴データに受信したメッセージの送信者を送信先とするメッセージの前記送信依頼者が複数存在する場合に、最後に送信を依頼した前記送信依頼者が送信を依頼した時刻から受信メッセージを受信した時刻までの時間が所定の時間以下である場合に、該送信依頼者を受信者として特定することを特徴とする、請求項５に記載のメッセージ送受信代行プログラム。
【請求項７】
前記受信者特定処理は、受信したメッセージが送信したメッセージへの返信である場合に、該送信したメッセージの送信依頼者を受信者として特定することを特徴とする、請求項５又は６に記載のメッセージ送受信代行プログラム。
【請求項８】
請求項５〜７のいずれか１項に記載のメッセージ送受信代行プログラムと、
前記送信依頼者の各々に対応する業務データと、
前記業務データを更新するボットプログラムとを備え、
前記ボットプログラムは、受信したメッセージを分析し該分析結果に基づいて、前記メッセージ送受信代行プログラムの前記受信者特定部によって特定された送信依頼者に対応する前記業務データを更新することを特徴とする、メッセージ処理システム。
【発明の詳細な説明】
【技術分野】
【０００１】
本発明は、メッセージングサービスを利用するメッセージ送受信代行装置及びメッセージ送受信代行プログラム、並びに、メッセージ処理装置及びメッセージ処理システムに関する。
【背景技術】
【０００２】
ＬＩＮＥ（登録商標）等のメッセージングサービスが用いられている。例えばトーク機能を用いて会話をすることができ、ｅメールとは違った雰囲気で情報伝達が可能である。
【０００３】
メッセージングサービスの運営者はＡＰＩを開示しており、このＡＰＩを用いてメッセージングサービスを利用するプログラム又は装置を作成することができる。ここで、ＡＰＩの料金がアカウント毎に設定されるので、費用を低減させるために、複数のユーザを１アカウントで扱うことが行われる。
【０００４】
出願人は、メッセージングサービス全般ではなく、ＳＭＳについて、複数のユーザを１アカウントで扱うメッセージ送信代行装置及びプログラムを、特許文献１に開示した。
【先行技術文献】
【特許文献】
【０００５】
【特許文献１】特開２０１５−０４６９４４号公報
【発明の概要】
【発明が解決しようとする課題】
【０００６】
ここで、メッセージを受信した場合の処理について検討する。受信されたメッセージが複数のユーザ（以下「送信依頼者」と言う。）のいずれに宛てられたものであるかを判断することが必要である。この判断は、メッセージングサービス全般においては、ＳＭＳよりも複雑である。
【０００７】
本発明は、メッセージングサービスを利用して複数の送信依頼者を１アカウントで扱うメッセージ送受信代行装置及びメッセージ送受信代行プログラムであって、受信されたメッセージを正しい送信依頼者に送るものを提供することを課題とする。
【０００８】
本発明はまた、メッセージングサービスを利用して複数の送信依頼者を１アカウントで扱うメッセージ処理装置及びメッセージ処理システムであって、受信されたメッセージの内容に基づいて送信依頼者毎のデータを処理するものを提供することを課題とする。
【課題を解決するための手段】
【０００９】
本発明のメッセージ送受信代行装置は、
外部のメッセージングサービスと通信する通信部と、
メッセージングサービスと通信してメッセージングサービス利用者にメッセージを送信する送信部と、
メッセージングサービスと通信してメッセージングサービス利用者からのメッセージを受信する受信部と、
複数の送信依頼者からメッセージングサービス利用者へのメッセージ送信の依頼を受け付ける送信依頼受付部と、
メッセージングサービスからのメッセージを受信した時に前記複数の送信依頼者から該メッセージの受信者を特定する受信者特定部と、
前記受信者特定部によって特定された送信依頼者に受信したメッセージを伝達する受信対応部とを備え、
メッセージを送信する時に該メッセージを送信する前記送信依頼者と送信先との対応を履歴データとして保持し、
前記受信者特定部は、前記履歴データに基づいて受信者を特定することを特徴とする。
【００１０】
この特徴によれば、受信者特定部によって受信されたメッセージの受信者（宛先）が特定され、送信のみでなく受信についても複数の送信依頼者を１アカウントで扱うことができる。また、履歴データに基づいて、例えば受信されたメッセージの受信者にメッセージを送信した送信依頼者を、受信者として特定することができる。
【００１１】
本発明のメッセージ送受信代行装置は、
前記受信者特定部は、前記履歴データに受信したメッセージの送信者を送信先とするメッセージの前記送信依頼者が複数存在する場合に、最後に送信を依頼した前記送信依頼者が送信を依頼した時刻から受信メッセージを受信した時刻までの時間が所定の時間以下である場合に、該送信依頼者を受信者として特定することを特徴とする。
【００１２】
この特徴によれば、履歴データに送信依頼者が複数存在する場合に、妥当な送信依頼者を選定することができる。
【００１３】
本発明のメッセージ送受信代行装置は、
前記受信者特定部は、受信したメッセージが送信したメッセージへの返信である場合に、該送信したメッセージの送信依頼者を受信者として特定することを特徴とする。
【００１４】
この特徴によれば、履歴データよりも信頼できるデータとして、送信したメッセージの送信依頼者を受信者として特定することができる。
【００１５】
本発明のメッセージ処理装置は、
本発明のメッセージ送受信代行装置と、
前記送信依頼者の各々に対応する業務データと、
受信したメッセージを分析し、該分析結果に基づいて前記業務データを更新するボット部とを備え、
前記ボット部は、前記受信者特定部によって特定された送信依頼者に対応する前記業務データを更新することを特徴とする。
【００１６】
この特徴によれば、受信されたメッセージに基づくデータ処理（例えば、歯科医院の予約のキャンセル）を自動的に行うことができる。
【００１７】
本発明のメッセージ送受信代行プログラムは、
外部のメッセージングサービスと通信する通信処理と、
メッセージングサービスと通信してメッセージングサービス利用者にメッセージを送信する送信処理と、
メッセージングサービスと通信してメッセージングサービス利用者からのメッセージを受信する受信処理と、
複数の送信依頼者からメッセージングサービス利用者へのメッセージ送信の依頼を受け付ける送信依頼受付処理と、
メッセージを受信した時に前記複数の送信依頼者から該メッセージの受信者を特定する受信者特定処理と、
前記受信者特定部によって特定された送信依頼者に受信したメッセージを伝達する受信対応処理とを備え、
メッセージを送信する時に該メッセージを送信する前記送信依頼者と送信先との対応を履歴データとして保持し、
前記受信者特定処理は、前記履歴データに基づいて受信者を特定することを特徴とする。
【００１８】
本発明のメッセージ送受信代行プログラムは、
前記受信者特定処理は、前記履歴データに受信したメッセージの送信者を送信先とするメッセージの前記送信依頼者が複数存在する場合に、最後に送信を依頼した前記送信依頼者が送信を依頼した時刻から受信メッセージを受信した時刻までの時間が所定の時間以下である場合に、該送信依頼者を受信者として特定することを特徴とする。
【００１９】
本発明のメッセージ送受信代行プログラムは、
前記受信者特定処理は、受信したメッセージが送信したメッセージへの返信である場合に、該送信したメッセージの送信依頼者を受信者として特定することを特徴とする。
【００２０】
これらの特徴によれば、本発明のメッセージ送受信代行装置を、プログラムとして実装することができる。
【００２１】
本発明のメッセージ処理システムは、
本発明のメッセージ送受信代行プログラムと、
前記送信依頼者の各々に対応する業務データと、
前記業務データを更新するボットプログラムとを備え、
前記ボットプログラムは、受信したメッセージを分析し該分析結果に基づいて、前記メッセージ送受信代行プログラムの前記受信者特定部によって特定された送信依頼者に対応する前記業務データを更新することを特徴とする。
【００２２】
この特徴によれば、本発明の送受信代行プログラムを利用したメッセージ処理システムを実装することができる。
【発明の効果】
【００２３】
本発明によれば、メッセージングサービスを利用して複数の送信依頼者を１アカウントで扱うメッセージ送受信代行装置及びメッセージ送受信代行プログラムであって、受信されたメッセージを正しい送信依頼者に送るものを提供すること、及び、
メッセージングサービスを利用して複数の送信依頼者を１アカウントで扱うメッセージ処理装置及びメッセージ処理システムであって、受信されたメッセージの内容に基づいて送信依頼者毎のデータを処理するものを提供することができる。
【図面の簡単な説明】
【００２４】
【図１】図１は、メッセージ送受信代行装置及びメッセージ処理装置の全体構成図である。
【図２】図２は、履歴データを示す図である。
【図３】図３は、受信者特定部の処理を示すフローチャートである。
【発明を実施するための形態】
【００２５】
以下、本発明の実施形態を、図面を参照して詳細に説明する。
【００２６】
（構成）
図１は、メッセージ送受信代行装置及びメッセージ処理装置の全体構成図である。メッセージ送受信代行装置１は、送信依頼受付部１１、通信部１２、送信部１３、受信部１５、受信者特定部１６及び受信対応部１７を備え、履歴データ１４を保持する。
【００２７】
メッセージ送受信代行装置１は、送信依頼者３（３ａ及び３ｂ、以下送信依頼者３ａ及び３ｂを「送信依頼者３」と総称する。）のメッセージ送受信を代行する。なお、送信依頼者は３ａ及び３ｂの２名であるとしたが、３名以上であってもよい。また、送信依頼者３は人でなくてもよい。例えば、歯科医院の予約システムと連動して予約日の１日前にメッセージ送信を依頼するプログラムであってもよい。
【００２８】
送信依頼受付部１１は、送信依頼者３からのメッセージ送信依頼を受け付ける。
【００２９】
通信部１２は、メッセージングサービス７と通信する。メッセージングサービス７はＡＰＩを提供しており、通信部１２は該ＡＰＩの定める形式にしたがってメッセージングサービス７と通信を行う。
【００３０】
送信部１３は、送信依頼受付部１１で受け付けた送信依頼者からのメッセージを、通信部１２を通し、送信メッセージ５としてメッセージングサービス７の利用者に送信する。また、該送信に係る情報を履歴データ１４に追加する。
【００３１】
履歴データ１４は、送信部１３による送信の履歴を保持するデータである。図２は、履歴データを示す図である。履歴データ１４は、各々の送信について、メッセージＩＤ１４ａ、時刻１４ｂ、送信依頼者１４ｃ及び送信先１４ｄを含む。ここで、メッセージＩＤ１４ａは、メッセージングサービス７が各々のメッセージを同定する情報を提供している場合に、その情報である。メッセージングサービス７がかかる情報を提供していない場合には、メッセージＩＤ１４ａを保持しなくともよい。時刻１４ｂは、メッセージを送信した時刻である。送信依頼者１４ｃはメッセージを送信した送信依頼者である。
【００３２】
受信部１５は、通信部１２を通して、メッセージングサービス７の利用者からのメッセージを受信メッセージ６として受信する。
【００３３】
受信者特定部１６は、受信メッセージ６を受信した時に、そのメッセージを受信する送信依頼者を特定する。処理の詳細を後述する。
【００３４】
受信対応部１７は、受信されたメッセージを受信者特定部１６の特定した送信依頼者に送る。
【００３５】
メッセージ送受信代行装置１は、メッセージングサービス７のＡＰＩにより、メッセージの送受信を行う。メッセージングサービス７からは、各々の送信依頼者３ａ、３ｂでなく、メッセージ送受信代行装置１が１アカウントとなる。
【００３６】
メッセージ処理装置２は、メッセージ送受信代行装置１に加えてボット部２１を備える。
【００３７】
各々の送信依頼者３（３ａ、３ｂ）は、各々の業務データ４（４ａ、４ｂ、以下業務データ４ａ及び４ｂを「業務データ４」と総称する。）に結び付けられている。
【００３８】
ボット部２１は、受信メッセージ６を受信した時に起動され、受信者特定部１６の特定した送信依頼者（３ａ又は３ｂ）に結び付けられた業務データ（４ａ又は４ｂ）を、受信メッセージ６の内容に基づいて更新する。
【００３９】
メッセージ送受信代行装置１（送信依頼受付部１１、通信部１２、送信部１３、受信部１５、受信者特定部１６及び受信対応部１７を含む）及びメッセージ処理装置２（ボット部２１を含む）は、コンピュータ上で動作するプログラムにより、実装することもできる。すなわち、メッセージ送受信代行プログラム（送信依頼受付プログラム、通信プログラム、送信プログラム、受信プログラム、受信者特定プログラム及び受信対応プログラムを含む）及びメッセージ処理システム（ボットプログラムを含む）としてもよい。
【００４０】
（動作）
送信依頼者３がメッセージを送信する際には、送信依頼受付部１１が送信依頼者３からの送信依頼を受け付け、送信部１３が、通信部１２を通してメッセージングサービス７のＡＰＩを利用し、メッセージングサービス７の利用者に送信メッセージ５を送信する。
【００４１】
送信部１３は、送信の履歴を履歴データ１４に追加する。ここで、メッセージＩＤ１４ａは、メッセージングサービス７のＡＰＩにより獲得できるものとする。獲得できない場合にはメッセージＩＤ１４ａを空欄としてよい。
【００４２】
メッセージ送受信代行装置１は、メッセージングサービス７からの受信メッセージ６を受信すると、受信者特定部１６を起動する。
【００４３】
図３は、受信者特定部の処理を示すフローチャートである。受信者特定部１６は、メッセージ受信（１６ａ）によって起動される。
【００４４】
受信者特定部１６は、まず、受信メッセージ６が過去に送信した送信メッセージ５のうちのいずれかに対する返信であるか否かを判断する（１６ｂ）。返信である場合には、メッセージングサービス７のＡＰＩによりメッセージＩＤ１４ａが取得できる、受信メッセージ６から送信メッセージの送信時刻１４ｂが読み取れる、その他の特徴があるので、受信者特定部１６はその特徴を検出する。
【００４５】
受信者特定部１６は、履歴データ１４を参照し、返信された送信メッセージ５の送信依頼者１４ｃを受信者として特定する（１６ｃ）。
【００４６】
受信メッセージ６が過去に送信した送信メッセージ５のうちのいずれかに対する返信ではない場合、受信者特定部１６は、受信メッセージ６の送信者を履歴データ１４の送信先１４ｄから検索する（１６ｄ）。
【００４７】
受信者特定部１６は、検索結果の有無を判断し（１６ｅ）、検索結果があり検索された送信に係る履歴データ１４の送信依頼者が単数である場合には、その送信依頼者１４ｃを受信者として特定する（１６ｆ）。
【００４８】
検索された送信に係る履歴データ１４の送信依頼者が複数である場合には、いずれの送信依頼者１４ｃを受信者とするかを決定する必要がある。図２におけるｘからの受信メッセージ６を受信した場合が一例である。受信者をａかｃの一方に決定する必要がある。
【００４９】
例えば、最後に送信を依頼した送信依頼者（図２ではｃ）が送信を依頼した時刻から受信メッセージを受信した時刻までの時間が所定の時間（例えば１週間）以下である場合に、その送信依頼者を受信者として特定する（１６ｇ）ことができる。なお、所定の時間による制約を設けずに最後に送信を依頼した送信依頼者を受信者として特定してもよい。また、送信メッセージの数の多い送信依頼者を受信者として特定してもよい。その他任意に特定基準を設計すればよい。
【００５０】
なお、メッセージ送受信代行装置１は予め選定した送信依頼者３に対して動作するので、検索結果の中に複数の送信依頼者１４ｃが含まれる可能性が極めて小さい運用とすることもできる。例えば、送信依頼者３が歯科医院であり患者との間でメッセージのやりとりをする場合には、患者が特定されれば、一定期間内に複数の歯科医院を受診している可能性が極めて小さく、検索結果の中に含まれる送信依頼者１４ｃは１のみであると考えられる。
【００５１】
検索結果がない場合、受信者特定部１６は、受信メッセージ６の内容から受信者を決定する（１６ｈ）。例えば、送信依頼者３を表す固有名詞等のキーワードに基づいて受信者を決定することができる。
【００５２】
なお、キーワードに基づいて受信者を決定することができない場合にも、受信件数が最多の送信依頼者を受信者と決定する等の方法で決定することとしてもよい。
【００５３】
メッセージ送受信代行装置１にボット部２１を加えたメッセージ処理装置２は、    
受信メッセージ６を受信し、受信者特定部１６が受信者を特定すると、ボット部２１を起動する。
【００５４】
ボット部２１は、受信メッセージ６の内容に基づいて、受信者特定部１６によって特定された送信依頼者（３ａ又は３ｂ）に結び付けられた業務データ（４ａ又は４ｂ）を更新する。
【００５５】
例えば、送信依頼者３が歯科医院であり、業務データ４が予約状況であり、受信メッセージ６に「キャンセル」の文字が含まれる場合に、業務データ４から受信メッセージ６の送信依頼者に係る予約を削除することができる。
【００５６】
なお、ボット部２１が業務データ４を更新した場合には、受信メッセージ６を送信依頼者３に送らなくともよい場合もある。メッセージ処理装置２は、受信対応部１７に先立ってボット部２１を起動し、ボット部２１の結果によって受信対応部１７の起動／不起動を定めてもよい。
【００５７】
以上詳細に説明したように、本実施形態のメッセージ送受信代行装置１は、送信時に作成された履歴データ１４を活用して、受信者特定部１６によって、受信されたメッセージの受信者を特定する。これにより、複数の送信依頼者を１アカウントで扱いながら、受信されたメッセージを正しい送信依頼者に送ることができる。
【００５８】
また、本実施形態メッセージ処理装置２は、ボット部２１によって自動的に業務データ４を更新することができる。
【産業上の利用可能性】
【００５９】
本発明のメッセージ送受信代行装置及びメッセージ送受信代行プログラムは、メッセージングサービスを利用して複数の送信依頼者を１アカウントで扱い、受信されたメッセージを正しい送信依頼者に送ることができる。本発明のメッセージ処理装置及びメッセージ処理システムは、メッセージングサービスを利用して複数の送信依頼者を１アカウントで扱い、受信されたメッセージの内容に基づいて送信依頼者毎のデータを処理することができる。多くの企業や個人事業者における利用が考えられる。
【符号の説明】
【００６０】
１      メッセージ送受信代行装置
１１    送信依頼受付部
１２    通信部
１３    送信部
１４    履歴データ
１４ａ  メッセージＩＤ
１４ｂ  時刻
１４ｃ  送信依頼者
１４ｄ  送信先
１５    受信部
１６    受信者特定部
１７    受信対応部
２      メッセージ処理装置
２１    ボット部
３      送信依頼者
４      業務データ
５      送信メッセージ
６      受信メッセージ
７      メッセージングサービス
【図１】
2019169008.tif 000003
【図２】
2019169008.tif 000004
【図３】
2019169008.tif 000005
【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
外部のメッセージングサービスと通信する通信部と、
メッセージングサービスと通信してメッセージングサービス利用者にメッセージを送信する送信部と、
メッセージングサービスと通信してメッセージングサービス利用者からのメッセージを受信する受信部と、
複数の送信依頼者からメッセージングサービス利用者へのメッセージ送信の依頼を受け付ける送信依頼受付部と、
メッセージングサービスからのメッセージを受信した時に前記複数の送信依頼者から該メッセージの受信者を特定する受信者特定部と、
前記受信者特定部によって特定された送信依頼者に受信したメッセージを伝達する受信対応部とを備え、
メッセージを送信する時に該メッセージを送信する前記送信依頼者と送信先との対応を履歴データとして保持し、
前記受信者特定部は、前記履歴データに受信したメッセージの送信者を送信先とするメッセージの前記送信依頼者が複数存在する場合に、最後に送信を依頼した前記送信依頼者が送信を依頼した時刻から受信メッセージを受信した時刻までの時間が所定の時間以下である場合に、該送信依頼者を受信者として特定することを特徴とする、
メッセージ送受信代行装置。
【請求項２】
前記受信者特定部は、受信したメッセージが送信したメッセージへの返信である場合に、該送信したメッセージの送信依頼者を受信者として特定することを特徴とする、請求項１に記載のメッセージ送受信代行装置。
【請求項３】
請求項１又は２に記載のメッセージ送受信代行装置と、
前記送信依頼者の各々に対応する業務データと、
受信したメッセージを分析し、該分析結果に基づいて前記業務データを更新するボット部とを備え、
前記ボット部は、前記受信者特定部によって特定された送信依頼者に対応する前記業務データを更新することを特徴とする、メッセージ処理装置。
【請求項４】
外部のメッセージングサービスと通信する通信処理と、
メッセージングサービスと通信してメッセージングサービス利用者にメッセージを送信する送信処理と、
メッセージングサービスと通信してメッセージングサービス利用者からのメッセージを受信する受信処理と、
複数の送信依頼者からメッセージングサービス利用者へのメッセージ送信の依頼を受け付ける送信依頼受付処理と、
メッセージを受信した時に前記複数の送信依頼者から該メッセージの受信者を特定する受信者特定処理と、
前記受信者特定処理によって特定された送信依頼者に受信したメッセージを伝達する受信対応処理とを備え、
メッセージを送信する時に該メッセージを送信する前記送信依頼者と送信先との対応を履歴データとして保持し、
前記受信者特定処理は、前記履歴データに受信したメッセージの送信者を送信先とするメッセージの前記送信依頼者が複数存在する場合に、最後に送信を依頼した前記送信依頼者が送信を依頼した時刻から受信メッセージを受信した時刻までの時間が所定の時間以下である場合に、該送信依頼者を受信者として特定することを特徴とする、
メッセージ送受信代行プログラム。
【請求項５】
前記受信者特定処理は、受信したメッセージが送信したメッセージへの返信である場合に、該送信したメッセージの送信依頼者を受信者として特定することを特徴とする、請求項４に記載のメッセージ送受信代行プログラム。
【請求項６】
請求項４又は５に記載のメッセージ送受信代行プログラムと、
前記送信依頼者の各々に対応する業務データと、
前記業務データを更新するボットプログラムとを備え、
前記ボットプログラムは、受信したメッセージを分析し該分析結果に基づいて、前記メッセージ送受信代行プログラムの前記受信者特定部によって特定された送信依頼者に対応する前記業務データを更新することを特徴とする、メッセージ処理システム。
【手続補正２】
【補正対象書類名】明細書
【補正対象項目名】００１７
【補正方法】変更
【補正の内容】
【００１７】
本発明のメッセージ送受信代行プログラムは、
外部のメッセージングサービスと通信する通信処理と、
メッセージングサービスと通信してメッセージングサービス利用者にメッセージを送信する送信処理と、
メッセージングサービスと通信してメッセージングサービス利用者からのメッセージを受信する受信処理と、
複数の送信依頼者からメッセージングサービス利用者へのメッセージ送信の依頼を受け付ける送信依頼受付処理と、
メッセージを受信した時に前記複数の送信依頼者から該メッセージの受信者を特定する受信者特定処理と、
前記受信者特定処理によって特定された送信依頼者に受信したメッセージを伝達する受信対応処理とを備え、
メッセージを送信する時に該メッセージを送信する前記送信依頼者と送信先との対応を履歴データとして保持し、
前記受信者特定処理は、前記履歴データに基づいて受信者を特定することを特徴とする。
【手続補正書】
【提出日】平成30年7月8日(2018.7.8)
【手続補正１】
【補正対象書類名】特許請求の範囲
【補正対象項目名】請求項６
【補正方法】変更
【補正の内容】
【請求項６】
請求項４又は５に記載のメッセージ送受信代行プログラムと、
前記送信依頼者の各々に対応する業務データと、
前記業務データを更新するボットプログラムとを備え、
前記ボットプログラムは、受信したメッセージを分析し該分析結果に基づいて、前記メ
ッセージ送受信代行プログラムの前記受信者特定処理によって特定された送信依頼者に対応する前記業務データを更新することを特徴とする、メッセージ処理システム。